(57)【要約】【課題】表示品位を低下させずに、焼付きを防止した自発光型の表示装置および携帯電子機器を提供する。【解決手段】電池残量が十分の場合には、通常のユーザインターフェイスＵＩ１で表示し（ステップ５０２）、また、電池残量が低下した場合には、ＵＩ１より階調を落とした中間調のユーザインターフェイスＵＩ２で表示し（ステップ５０４）、さらに電池残量が低下した場合には、黒基調のユーザインターフェイスＵＩ３で表示する（ステップ５０６）。【選択図】図５
2009204705.tif 000002
【特許請求の範囲】
【請求項１】
自発光型の表示部と、
物理量を検出する検出部と、
前記物理量の変化に応じて段階的に或いは連続的に、前記表示部の階調を変化させる制御部と、
を備えた表示装置。
【請求項２】
前記表示部に電力を供給する電池部をさらに備え、
前記検出部は、前記物理量として、前記電池部の電池残量を検出し、
前記制御部は、検出された前記電池残量に応じて、段階的に或いは連続的に、前記表示部の階調を変化させる
請求項１に記載の表示装置。
【請求項３】
前記制御部は、前記表示部の階調を、
前記電池残量が減るにつれて、前記表示の背景色を表示する部位と前記背景色以外を表示する部位との階調差が小さくなるように、変化させる
請求項２に記載の表示装置。
【請求項４】
アンテナをさらに備え、
前記検出部は、前記物理量として、前記アンテナが受信する電波強度を検出し、
前記制御部は、検出された前記電波強度に応じて、段階的に或いは連続的に、前記表示部の階調を変化させる
請求項１に記載の表示装置。
【請求項５】
前記制御部は、前記表示部の階調を、
前記アンテナの電波強度が減少するにつれて、前記表示の背景色を表示する部位と前記背景色以外を表示する部位との階調差が小さくなるように、変化させる
請求項４に記載の表示装置。
【請求項６】
表示装置を有する携帯電子機器であって、
前記表示装置は、
自発光型の表示部と、
物理量を検出する検出部と、
前記物理量の変化に応じて段階的に或いは連続的に、前記表示部の階調を変化させる制御部と、を含む
携帯電子機器。
【発明の詳細な説明】
【技術分野】
【０００１】
本発明は自発光型の表示装置、たとえば、携帯電子機器に用いられる自発光型の表示装置および携帯電子機器に関する。
【背景技術】
【０００２】
携帯電話機等の携帯電子機器で用いられる表示装置としては、薄い、応答速度が早い、広視野角、高コントラスト、色再現性が良い等の利点を有する有機ＥＬ（ＯＬＥＤ：Organic Light Emitting Diode）等の自発光型が用いられ始められている。
【０００３】
自発光型の表示装置たとえばＯＬＥＤにおいては、液晶表示装置（ＬＣＤ）に比較して次のような特徴を有する。
１）図１に示すように、白表示は黒表示よりも消費電力が大きい。
２）各画素に流れる電流が異なり、画素単位で劣化にばらつきが生じやすい。
３）特定の色を偏って表示させ続けると、その色の画素の劣化が進んでしまい、焼き付き現象が発生しやすい。
このことからＯＬＥＤを搭載した携帯端末のユーザインターフェイス（ＵＩ）の多くは黒基調であった。
【０００４】
尚、図１において、（ａ）はＯＬＥＤの階調と消費電力の関係を示し、（ｂ）はＬＣＤの階調と消費電力の関係を示す。
【０００５】
ここで、階調とは、色の濃淡の変化のこと、または濃淡変化の滑らかさのことである。コンピュータにおける画素表現の細かさを表す尺度として用いられることが多い。
階調はある色について用意された濃淡の段階の数によって数値化される。階調が多ければ多いほど、色彩は滑らかに表現できる。
【０００６】
例えば２階調で表現された画像は白と黒の２段階しか濃淡がなく、モノクロとなる。白黒の間に中間色としてグレーが１段階用意された場合には、階調は３となる。一般的に、パソコンのカラーディスプレイは表示をＲＧＢの色空間で扱っている。
このとき、Ｒ（赤）、Ｇ（緑）、Ｂ（青）の色がそれぞれ２階調ずつあれば、表現可能な色の組み合わせは２の３乗、すなわち８色となる。
普通のパーソナルコンピュータ（パソコン）はＲＧＢの各色を２５６階調ずつ表現できるようになっている場合が多い。この場合に表示可能な、２５６の３乗すなわち１６７７万７２１６色が、現在では便宜的にではあるがフルカラーと呼ばれている。
【０００７】
上述の特徴を解消する第１の従来の自発光型の表示装置を有する携帯電子機器（参照：特許文献１）においては、電池残量が少ない場合に、文字を白表示、背景色を黒表示に補正して消費電力を低減している。
【０００８】
第２の従来の自発光型の表示装置を有する携帯電子機器（参照：非特許文献２）においては、待ち受け状態に、輝度を低下させて消費電力を低減している。
尚、輝度とは、ディスプレイなどの画面の明るさの度合いのことである。単位にはカンデラ（ｃｄ）を用い、１平方メートルあたりに照射される光量を基準とするので「cd/ｍ２」（カンデラ／平方メートル）と表される。
屋外で視認可能であるにはおよそ300 cd/ｍ２ の光が最低限必要とされる。パソコンの液晶ディスプレイは250〜300 cd/ｍ２程度のものが多い。
【０００９】
第3の自発光型の表示装置を存する携帯電子機器（参照：特許文献３）においては、電池残量が少ない場合に、階調を画像の全領域に亘って一律に変更して消費電力を低減している。
【特許文献１】特開２００２−１９９０７８号公報
【特許文献２】特開２００２−３４１８２８号公報
【特許文献３】特開２００５−３４５６７８号公報
【発明の開示】
【発明が解決しようとする課題】
【００１０】
上述の第1の従来の自発光型の表示装置を有する携帯表示機器においては、文字と背景の階調を反転、補正させるために、結局黒基調の画面となってしまう。また、補正後は文字が白、背景が黒になり、文字部分の劣化が進みやすくなり、焼き付きが発生する可能性がある。
【００１１】
また、第1の従来の自発光型の表示装置を有する携帯電子機器においては、輝度調整をすることで電池残量を長持ちさせようとしているが、輝度を減らすため、表示品位が低下し、見づらくなる。
【００１２】
さらに、第3の従来の自発光型表示装置を有する携帯電子機器においては、階調数を単に間引いているため、全体的に暗くなり、表示品位が低下し、見づらくなる。
【００１３】
尚、待ち受け画面等においては、文字を黒表示、背景色を白表示にする白基調状態は、文字を白表示、背景色を黒表示にする黒基調状態に比較して消費電力が大きくなる。このため、電池残量が閾値以上のときには、白基調状態とし、電池残量が閾値未満となったときには、白基調状態を黒基調状態に反転することが行われている。
【００１４】
しかしながら、基本的にはユーザ選択の表示設定が優先される。従って、通常の設定で白基調状態が選択された場合には、できる限りユーザ選択の表示設定を優先させるために、上記の閾値を低く設定している。
この結果、ほとんどの場合、白基調状態となる。この場合、同一画素が同一階調の色を長時間発光させることになり、文字を表示する画素と背景色を表示する画素との間で劣化に差が発生し、焼き付くおそれがあり、長期間の使用に対して適さない。
【００１５】
従って、本発明の目的は、表示品位を低下させずに、長期にわたって焼き付きが生じにくい自発光型の表示装置および携帯電子機器を提供することにある。
【課題を解決するための手段】
【００１６】
上述の課題を解決するために本発明に係る表示装置は、自発光型の表示部と、物理量を検出する検出部と、前記物理量の変化に応じて段階的に或いは連続的に、前記表示部の階調を変化させる制御部と、を備える。
【００１７】
また、本発明第１の観点の表示装置は、前記表示部に電力を供給する電池部をさらに備え、前記検出部は、前記物理量として、前記電池部の電池残量を検出し、前記制御部は、検出された前記電池残量に応じて、段階的に或いは連続的に、前記表示部の階調を変化させることができる。
【００１８】
また、本発明の表示装置において、前記制御部は、前記表示部の階調を、前記電池残量が減るにつれて、前記表示の背景色を表示する部位と前記背景色以外を表示する部位との階調差が小さくなるように、変化させることができる。
【００１９】
また、本発明の表示装置は、アンテナをさらに備え、前記検出部は、前記物理量として、前記アンテナが受信する電波強度を検出し、前記制御部は、検出された前記電波強度に応じて、段階的に或いは連続的に、前記表示部の階調を変化させることができる。
【００２０】
また、本発明の表示装置において、前記制御部は、前記表示部の階調を、前記アンテナの電波強度が減少するにつれて、前記表示の背景色を表示する部位と前記背景色以外を表示する部位との階調差が小さくなるように、変化させることができる。
【００２１】
本発明の第２の観点は、表示装置を有する携帯電子機器であって、前記表示装置は、自発光型の表示部と、物理量を検出する検出部と、前記物理量の変化に応じて段階的に或いは連続的に、前記表示部の階調を変化させる制御部と、を含む。
【発明の効果】
【００２２】
本発明によれば、表示品位を低下させずに、長期にわたって焼き付きが生じにくい表示装置及び携帯電子機器が提供できる。
【発明を実施するための最良の形態】
【００２３】
図2は、本発明の実施の形態に係る自発光型の表示装置を有する携帯電子機器の外観構造の一例を示す図である。ここでは、携帯電子機器の一例として、折り畳み型の携帯電話機１００を想定している。
図2に示されるように、携帯電話機１００は、上部筺体１０１と、下部筐体１０２と、ヒンジ部１０３とを有する。
【００２４】
図２（ａ）は携帯電話１００が開かれた状態（開状態）を示した図であり、図2（ｂ）は携帯電話機１００の折り畳まれた状態（閉状態）を示した図である。
図２（ａ）に示されるように、上部筐体１０１には、図２（ｂ）に示す携帯電話機１００の閉状態においては外部に露出しない一面に表示部１４が配置されている。
また、図１（ａ）に示されるように、下部筐体１０２には、図２（ｂ）に示す携帯電話機１００の閉状態において外部には露出しない一面に操作部１２が配置されている。
【００２５】
ヒンジ部１０３は、上部筐体１０１と下部筐体１０２とを開閉し、図２（ａ）に示す携帯電話１００の開状態と図２（ｂ）に示す閉状態とを遷移可能とする回転軸を有するヒンジ機構である。なお、携帯電話１００の開状態／閉状態は、後述する制御部１７により監視されており、制御部１７は携帯電話１００の閉状態を検出することが可能である。
具体的には、例えば上部筐体１０１に配置した図示しない突起部により、下部筐体１０２の図示しない検出スイッチが押しているか否かを制御部１７が監視することにより閉状態を検出している（すなわち検出スイッチが押下されていれば閉状態、そうでなければ開状態と判定）。なお、開閉検出は、スイッチに限らず、各種センサであってもよい。
【００２６】
図３は図２の携帯電子機器の電気系統の内部構成を示すブロック図である。
【００２７】
図３に示されるように、携帯電話機１００は、制御部１７を制御中枢とし、電源制御部１０と、無線通信部１１と、操作部１２と、音声入出力部１３と、表示部１４と、撮像部１５と、記憶部１６と、制御部１７のそれぞれが、アドレス、データ、コントロールのためのラインが複数本からなるシステムパス１８に共通に接続され、構成される。
【００２８】
電源制御部１０は、例えば、図４にその内部構成の一例が示されるように、電源供給部３１と、電流アンプ３２から構成される。
【００２９】
電源供給部３１は、電池３０に接続された電流監視抵抗（Ｒ）を介して得られる電流を、携帯電話１００を構成する各構成ブロックに供給する。
また、電流監視抵抗（Ｒ）の両端に接続された電流アンプ３２は、電流監視抵抗（Ｒ）による電圧降下を増幅して制御部１７が内蔵するＡＤコンバータ８０に出力し、制御部１７内において電流値に変換され消費電流測定が行われる。
【００３０】
無線通信部１１は、無線通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
操作部１２は、例えば、電源キー、通話キー、数字キー、文字キー、方向キー、決定キー、発信キー、ファンクションキーなど、各種の機能が割り当てられたキーを有しており、これらのキーが操作者によって操作された場合に、その操作内容に対応する信号を発生し、これを操作者の指示として制御部１７に出力する。
【００３１】
音声入出力部１３は、スピーカから出力される音声信号やマイクロフォンにおいて入力される音声信号の入出力処理を行う。
すなわち、音声入出力部１３は、マイクロフォンから入力された音声を増幅し、アナログ／デジタル変換を行い、更に符号化等の信号処理を施し、デジタルの音声データに変換して制御部１７に出力する。
また、音声入出力部１３は、制御部１７から供給される音声データに復号化、デジタル／アナログ変換、増幅等の信号処理を施し、アナログの音声信号に変換してスピーカに出力する。
【００３２】
表示部１４は、例えばＯＬＥＤを用いて構成されており、制御部１７から供給される映像信号に応じた画像を表示する。
表示部１４は、例えば、無線信号部１１による無線発信時における発信先の電話番号、着信時における発信元の電話番号、受信メールや送信メールの内容、日付、時刻、電池残量、発信成否、待ち受け画面等を表示する。
【００３３】
撮像部１５は、ＣＣＤ（Charge Coupled Device）やＣＭＯＳ（Complementary Metal Oxide Semiconductor）イメージセンサ等の光電変換素子とその制御回路等により構成されるカメラである。
【００３４】
記憶部１６は、携帯電話機１００の各種処理に利用される各種データを記憶する。例えば、制御部１７が実行するコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータが記憶される。
【００３５】
なお、記憶部１６は、例えば、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００３６】
制御部１７は、携帯電話機１００の全体的な動作を統括的に制御する。
すなわち、制御部１７は、携帯電話機１００の各種処理（回線交換網を介して行われる音声通話、電子メールの作成と送受信、インターネットのＷｅｂ（World Wide Web）サイトの閲覧など）が操作部１２の操作に応じて適切な手順で実行されるように、上述した各ブロックの動作（無線通信部１１における信号の送受信、表示部１４における画像の表示、撮像部１５における撮像処理等）を制御する。
さらに、制御部１７は、記憶部１６に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１７は、記憶部１６に格納されるオペレーティングシステムやアプリケーションプログラム等のプログラムから命令コードを順次受け取って処理を実行する。
【００３７】
また、制御部１７は、電池残量算出および受信電波強度算出の都度表示更新の有無を判定し、表示部１４に表示させる電池残量および受信電波強度の表示を変化させる機能を有する。
【００３８】
ところで、最近の携帯電話機１００は、製造工程で様々な情報、および、調整された値を記憶している。例えば、製造工程で使用する電流計（製造設備）を用いることで、高精な制御を実現できる。
【００３９】
また、制御部１７は、後述する処理によって消費電流量Ｉが特定されると、その値の最新のもののみを記憶部１６の、電源ＯＦＦされても消去されない領域に記憶し、電源ＯＮ中においては最新の情報に更新を続ける。
【００４０】
図５は図２の制御部１７の第１の動作を説明するためのフローチャートである。
【００４１】
このフローチャートの前提として、電池残量が、たとえば、電流アンプ３２の電流値を用いて一定時間毎に算出されて記憶部１６に格納されているものとする。尚、電池残量の算出方法は種々あるが、いずれの方法でもよい。
また、電池が充電されない限り、電池残量は減少するものとする。
そして、表示部１４に電池残量表示としてその残量に応じて電池３本、２本、１本が表示される（参照図１０）。
【００４２】
電池残量が十分あって、閾値１より大きい場合には、フローはステップ５０１からステップ５０２に進み、表示部１４は、図６（ａ）に示す通常のユーザインターフェイスＵＩ１で表示する。この場合、表示部１４に電池残量表示として３本表示されている（参照図１０）。
そして、電池残量が閾値１より大きい限り、フローはステップ５０３、５０５を介してステップ５０２に進み、ユーザインターフェイスＵＩ１で表示し続ける。
【００４３】
次に、電池残量が減少して例えば閾値１以下となると、フローはステップ５０２からステップ５０３を介してステップ５０４に進み、通常のユーザインターフェイスＵＩ１より階調を落とした図６（ｂ）に示す中間調のユーザインターフェイスＵＩ２で表示する。この場合、表示部１４に電池残量表示として２本表示されている（参照図１０）。
そして、電池残量が閾値１以下閾値２（＜閾値１）より大きい限り、フローはステップ５０３、５０４を繰り返してユーザインターフェイスＵＩ２で表示し続ける。
【００４４】
次に、電池残量がさらに減少して閾値２以下となると、フローはステップ５０５を介してステップ５０６に進み、図６（ｃ）に示す黒基調のユーザインターフェイスＵＩ３で表示する。この場合、表示部１４に電池残量表示として１本表示されている（参照図１０）。
【００４５】
黒基調のユーザインターフェイスＵＩ３で表示した場合には、ステップ５０７に進み、電池が充電されたか否かを判別する。
充電されていれば、ステップ５０８にて電池残量を判別し、電池残量が閾値１以下閾値２より大きくなった場合にはステップ５０４に進み、中間調のユーザインターフェイスＵＩ２で表示する。
他の場合には、ステップ５０２に進み、通常のユーザインターフェイスＵＩ１で表示する。他方、充電されていなければ、ステップ５０９に進み、電源をオフとする。
【００４６】
このように第１の動作によれば、電池残量を見ながら随時階調を変えることにより、以下のような利点がある。
１）輝度の変更をすることなく消費電力を抑えることができるため、表示品位を保ちつつ使用時間の延長が可能となる。
２）背景と文字の階調差が少ない中間調を使用することで、背景と文字の画素の劣化の差が少なくなり、文字の焼き付きが起こりづらい。
【００４７】
図７は図２の制御部１７の第２の動作を説明するためのフローチャートである。
【００４８】
このフローチャートの前提として、無線通信部１１を介して受信した周辺の基地局からの無線信号の電界強度は一定時間毎に記憶部１６に格納されているものとする。そして、表示部１４に電波状況表示として電波状況に応じてアンテナ３本、２本、１本が表示される（参照図１０）。
【００４９】
受信信号の電界強度が十分であって、閾値１´より大きい場合には、フローはステップ７０１からステップ７０２に進み、図８（ａ）に示す通常のユーザインターフェイスＵＩ１´で表示する。
この場合、表示部１４に電波状況表示としてアンテナ３本表示されている（参照図１０）、そして電界強度が閾値１´より大きい限り、フローはステップ７０３、７０５を介してステップ７０２に進み、ユーザインターフェイスＵＩ１´で表示し続ける。
【００５０】
次に、受信信号の電界強度が減少して閾値１´以下となると、フローはステップ７０２からステップ７０３を介してステップ７０４に進み、通常のユーザインターフェイスＵＩ１´より階調を落とした図８（ｂ）に示す中間調のユーザインターフェイスＵＩ２´で表示する。
この場合、表示部１４に電波状況表示としてアンテナ２本表示されている（参照図１０）。そして、電界強度が閾値１´以下閾値２´（＜閾値１´）より大きい限り、フローはステップ７０３，７０４を繰り返してユーザインターフェイスＵＩ２´で表示し続ける。
【００５１】
次に、受信信号の電界強度がさらに減少して閾値２´以下となると、フローはステップ７０５を介してステップ７０６に進み、図８（ｃ）に示す黒基調のユーザインターフェイスＵＩ３´で表示する。
この場合、表示部１４に電波状況表示としてアンテナ１本表示されている（参照図１０）。
【００５２】
黒基調のユーザインターフェイスＵＩ３´で表示した場合には、ステップ７０１に進み、上述の動作を繰り返す。
【００５３】
このように第２の動作によれば、電波状況を見ながら随時階調を変えることにより、以下のような利点がある。
１）輝度の変更をすることなく消費電力を抑えることができるため、表示品位を保ちつつ使用時間の延長が可能となる。
２）背景と文字の階調差が少ない中間調を使用することで、背景と文字の画素の劣化の差が少なくなり、文字の焼き付きが起こりづらい。
【００５４】
図９は図２の制御部１７の第３の動作を説明するためのフローチャートである。
【００５５】
このフローチャートの前提として、電池残量が、たとえば、電流アンプ３２の電流値を用いて一定時間毎に算出されて記憶部１６に格納されているものとする。尚、電池残量の算出方法は種々あるが、いずれの方法でもよい。
また、電池が充電されない限り、電池残量は減少するものとする。そして、表示部１４に電池残量表示としてその残量に応じて電池３本、２本、１本が表示される（参照図１０）。
さらに、無線通信部１１を介して受信した周辺の地局からの無線信号の電界強度は一定時間毎に記憶部１６に格納されているものとする。
そして、表示部１４に電波状況表示として電波状況に応じてアンテナ３本、２本、１本、圏外（Ｘ）が表示される（参照図１０）。つまり、電界強度が３つの閾値と比較され、電波状況が、良好、中程度、悪い、最悪と判別され、これに応じてアンテナ３本、２本、１本、Ｘが表示される。
【００５６】
電池残量が十分あって、閾値１より大きい場合には、フローはステップ５０１からステップ９０１−１、９０１−２、９０１−３を介してステップ５０２−１、５０２−２、５０２−３、５０３−４に進む。
【００５７】
ステップ９０１−１では、電波状況が良好な状態（アンテナ３本表示状態）か否かを判別し、ステップ９０１−２では、電波状況が中程度の状態（アンテナ２本表示状態）か否かを判別し、ステップ９０１−３では、電波状況が悪い状態（アンテナ１本表示状態）か否かを判別する。
この結果、アンテナ３本表示状態であれば、ステップ５０２−１にて図１０に示すモノクロ用ユーザインターフェイスＵＩ１−１で表示し、アンテナ２本表示状態であれば、ステップ５０２−２にて図１０に示すグリーン（Ｇ）用ユーザインターフェイスＵＩ２−１で表示する。
アンテナ１本表示状態であれば、ステップ５０２−３にて図１０に示すレッド（Ｒ）用ユーザインターフェイスＵＩ３−１で表示する。
圏外であれば、ステップ５０２−４にて図１０に示すブルー（Ｂ）用ユーザインターフェイスＵＩ４−１で表示する。
電池残量が閾値１より大きい限り、フローはステップ５０３、５０５を介してステップ９０１−１、９０１−２、９０１−３に進み、通常のユーザインターフェイスＵＩ１−１、ＵＩ２−１、ＵＩ３−１、ＵＩ４−１で表示し続ける。
【００５８】
次に、電子残量が減少して、閾値１以下となると、フローはステップ５０３からステップ９０２−１、９０２−２、９０２−３を介してステップ５０４−１、５０４−２、５０４−３、５０４−４に進む。
【００５９】
ステップ９０２−１では、電波状況が良好な状態（アンテナ３本表示状態）か否かを判別し、ステップ９０２−２では、電波状況が中程度の状態（アンテナ２本表示状態）か否かを判別し、ステップ９０２−３では、電波状態が悪い状態（アンテナ１本表示状態）か否かを判別する。
この結果、アンテナ３本表示状態であれば、ステップ５０４−１にてＵＩ１−１より階調を落とした図１０に示すモノクロ用ユーザインターフェイスＵＩ１−２で表示する。
アンテナ２本表示状態であれば、ステップ５０４−２にてＵＩ２−１より階調を落とした図１０に示すグリーン（Ｇ）用ユーザインターフェイスＵＩ２−２で表示する。
アンテナ１本表示状態であれば、ステップ５０４−３にてＵＩ３−１より階調を落とした図１０に示すレッド（Ｒ）用ユーザインターフェイスＵＩ３−２で表示する。
圏外であれば、ステップ５０４−４にてＵＩ４−１より階調を落とした図１０に示すブルー（Ｂ）用ユーザインターフェイスＵＩ４−２で表示する。
電池残量が閾値１以下で閾値２よりより大きい限り、フローはステップ５０３、５０５を介してステップ９０２−１、９０２−２、９０２−３に進む、中間調のユーザインターフェイスＵＩ１−２、ＵＩ２−２、ＵＩ３−２、ＵＩ４−２で表示し続ける。
【００６０】
次に、電池残量が減少して、閾値２以下となると、フローはステップ５０５からステップ９０３−１、９０３−２、９０３−３を介して５０６−１、５０６−２、５０６−３、５０６−４に進む。
【００６１】
ステップ９０３−１では、電波状況が良好な状態（アンテナ３本表示状態）か否かを判別し、ステップ９０３−２では、電波状況が中程度の状態（アンテナ２本表示状態）か否かを判別し、ステップ９０３−３では、電波状況が悪い状態(アンテナ１本表示状態)か否かを判別する。
この結果、アンテナ３本表示状態であれば、ステップ５０６−４にてＵＩ１−２より階調を落とした図１０に示すモノクロ用ユーザインターフェイスＵＩ１−３で表示する。
アンテナ２本表示状態であれば、ステップ５０６−２にてＵＩ２−２より階調を落とした図１０に示すグリーン（Ｇ）用ユーザインターフェイスＵＩ２−３で表示する。
アンテナ１本表示状態であれば、ステップ５０６−３にてＵＩ３−２より階調を落とした図１０に示すレッド（Ｒ）用ユーザインターフェイスＵＩ３−３で表示する。
圏外であれば、ステップ５０６−４にてＵＩ４−２より階調を落とした図１０に示すブルー（Ｂ）用ユーザインターフェイスＵＩ４−３で表示する。
【００６２】
黒基調のユーザインターフェイスＵＩ１−３、ＵＩ２−３、ＵＩ３−３で表示した場合には、ステップ５０７に進み、電池が充電されたか否かを判別する。
充電されていれば、ステップ５０８にて電池残量を判別し、電池残量が閾値１以下閾値２より大きくなった場合にはステップ９０２−１、９０２−２、９０２−３に進み、中間調のユーザインターフェイスＵＩ１−２、ＵＩ２−２、ＵＩ３−２で表示する。
他の場合には、ステップ９０１−１、９０１−２、９０１−３に進み、通常のユーザインターフェイスＵＩ１−１、ＵＩ２−１、ＵＩ３−１、ＵＩ４−１で表示する。他方、充電されていなければ、ステップ５０９に進み、電源をオフとする。
【００６３】
このように第３の動作によれば、電池残量及び電波状況を見ながら随時階調を変えることにより、以下のような利点がある。
１）輝度の変更をすることなく消費電力を抑えることができるため、表示品位を保ちつつ使用時間の延長が可能となる。
２）背景と文字の階調差が少ない中間調を使用することで、背景と文字の画素の劣化の差が少なくなり、文字の焼き付きが起こりづらい。
【００６４】
上述の第３の動作においてはＲＧＢを用いたが、もちろん組み合わせて他の色を使用しても問題ない。
また、各色の順番をＧＲＢにした理由としては、各色の寿命特性を検討した結果、Ｇ＞Ｒ＞Ｂの順番で寿命の特性が良かったためである。但し、使用する材料等により寿命特性の順番が変動することが考えられるので、使用するモジュールの特性を考慮してＲＧＢの順番を変えればよい。
【００６５】
尚、上述の実施の形態においては、表示部の階調を段階的に変化させているが、図１１に示すような階調を連続的に変化させてもよい。
【００６６】
また、階調の変化により、アンテナの電波状況や電池残量が、認識できる場合、それぞれのピクト表示をなくしてもよい。
【図面の簡単な説明】
【００６７】
【図１】自発光型の表示装置の消費電力を説明する図である。
【図２】本発明の実施の形態に係る表示装置を有する携帯電子機器の外観構造の一例を示す図である。
【図３】図２の携帯電子機器の電気系統の内部構成を示すブロック図である。
【図４】図２の電源制御部の詳細を示すブロック図である。
【図５】図２の制御部の第１の動作を説明するためのフローチャートである。
【図６】図５における画像の例を示す図である。
【図７】図２の制御部の第２の動作を説明するためのフローチャートである。
【図８】図７における画像の例を示す図である。
【図９】図２の制御部の第３の動作を説明するためのフローチャートである。
【図１０】図９における画像の例を示す図である。
【図１１】連続的な階調変化を説明する図である。
【符号の説明】
【００６８】
１０…電源制御部、１１…無線通信部、１２…操作部、１３…音声入出力部、１４…表示部、１５…撮像部、１６…記憶部、１７…制御部、１８…システムバス、２０…携帯電話機本体、３０…電池、３１…電源供給部、３２…電流アンプ。
【図１】
2009204705.tif 000003
【図２】
2009204705.tif 000004
【図３】
2009204705.tif 000005
【図４】
2009204705.tif 000006
【図５】
2009204705.tif 000007
【図７】
2009204705.tif 000008
【図９】
2009204705.tif 000009
【図６】
2009204705.tif 000010
【図８】
2009204705.tif 000011
【図１０】
2009204705.tif 000012
【図１１】
2009204705.tif 000013